(57)【要約】【課題】精度の高い煙検知をする煙感知器を提供する。【解決手段】煙を導入する検知室１４と、検知室１４内に光を照射する発光素子４と、検知室１４内における煙に散乱した光を受光し、受光した光に応じた受光信号Ｓを出力する受光素子６と、受光信号Ｓを補正する補正部３０と、補正部３０が補正した受光信号Ｓに基づいて煙の有無を判定する判定部８と、判定部８の判定結果を外部に通知する通知部１０とを備えている煙感知器であって、補正部３０は、煙感知器稼働直後の煙が無い状態における受光信号Ｓｉｎｉ０と、煙感知器稼働中の煙が無い状態における受光信号Ｓ０とを用いて、煙判定の対象である最新の受光信号Ｓｎｏｗを補正する。【選択図】図１
2011086058.tif 000002
【特許請求の範囲】
【請求項１】
煙を導入する検知室と、上記検知室内に光を照射する発光素子と、上記検知室内における煙に散乱した光を受光し、受光した光に応じた受光信号Ｓを出力する受光素子と、上記受光信号Ｓを補正する補正手段と、上記補正手段が補正した受光信号Ｓに基づいて煙の有無を判定する判定手段と、上記判定手段の判定結果を外部に通知する通知手段とを備えている煙感知器であって、
上記補正手段は、煙感知器稼働直後の煙が無い状態における受光信号Ｓｉｎｉ０と、煙感知器稼働中の煙が無い状態における受光信号Ｓ０とを用いて、煙判定の対象である最新の受光信号Ｓｎｏｗを補正することを特徴とする煙感知器。
【請求項２】
上記補正手段は、受光信号ＳｎｏｗにＳｉｎｉ０／Ｓ０を乗ずることを特徴とする請求項１に記載の煙感知器。
【請求項３】
上記補正手段は、受光信号ＳｎｏｗからＳ０−Ｓｉｎｉ０を減ずることを特徴とする請求項１に記載の煙感知器。
【請求項４】
上記補正手段は、Ｓ０≦Ｓｉｎｉ０である場合には受光信号ＳｎｏｗにＳｉｎｉ０／Ｓ０を乗じ、Ｓ０＞Ｓｉｎｉ０である場合には受光信号ＳｎｏｗからＳ０−Ｓｉｎｉ０を減ずることを特徴とする請求項１に記載の煙感知器。
【請求項５】
過去の所定時間内における、煙が無い状態の受光信号Ｓ０を複数抽出し、抽出した受光信号Ｓ０の平均値を算出する平均値算出手段を備えており、
上記補正手段は、上記受光信号Ｓ０の値として、上記平均値算出手段が算出した値を用いることを特徴とする請求項１から４のいずれか１項に記載の煙感知器。
【請求項６】
上記判定手段は、ユーザの入力に基づいて上記所定時間を設定する所定時間設定手段をさらに備えていることを特徴とする請求項５に記載の煙感知器。
【請求項７】
上記発光素子はパルス発光し、上記受光素子は受光した光の積分値に基づいた受光信号を出力し、上記判定手段は、上記発光素子の駆動パルス幅を制御することによって、煙感知器稼働直後の煙が無い状態における受光信号Ｓｉｎｉ０を調整するパルス幅制御手段をさらに備えていることを特徴とする請求項１から６のいずれか１項に記載の煙感知器。
【請求項８】
上記検知室内が所望の煙濃度である状態の受光信号Ｓを、煙の有無を判定する基準となる受光信号Ｓｔｈとして記憶する記憶手段をさらに備えており、
上記判定手段は、上記記憶手段が記憶した受光信号Ｓｔｈを用いて煙の有無を判定することを特徴とする請求項７に記載の煙感知器。
【請求項９】
請求項１から８のいずれか１項に記載の煙感知器を備えている火災報知器。
【発明の詳細な説明】
【技術分野】
【０００１】
本発明は、光電式の煙感知器および煙感知器を備えている火災報知器に関するものである。
【背景技術】
【０００２】
従来、ビルなどに設置される火災感知器として、煙の有無を検知する煙感知器が用いられている。このような煙感知器として、光電式の煙感知器が公知となっている。このような光電式の煙感知器は、煙に反射または散乱した光を受光し、判定レベルと比較することによって煙の有無を検知する。このような煙感知器における煙検知の精度を高める種々の技術がある。
【０００３】
特許文献１には、長時間にわたり煙有りと検知している場合に、これを煙で無いと判断することによって、検出信号を予め定めた煙感知レベルに近づける補正をする煙感知装置が開示されている。
【０００４】
特許文献２には、煙検知室内の汚れが無く煙の無いときの状態を記憶して補正に用いることによって、空気中の浮遊粉塵が煙検知室の内壁面へ堆積しても非火災報を発することの無い光電式煙感知器が開示されている。
【０００５】
特許文献３には、煙または埃などの粒子を光学式センサで検出し、その出力電圧に数段階の閾値を設定することによって、風量を段階的に自動調整する空気清浄機が開示されている。
【０００６】
特許文献４には、検出開度の平均値に基づいて風路圧を調整することによって、風量調整制御性を向上させる空調設備が開示されている。
【先行技術文献】
【特許文献】
【０００７】
【特許文献１】特開平６−２０１５８２号公報（公開日：１９９４年７月１９日）
【特許文献２】特開平１０−３３４３６３号公報（公開日：１９９８年１２月１８日）
【特許文献３】実開平４−５２１１号公報（公開日：１９９２年１月１７日）
【特許文献４】特開平４−３４７４４５号公報（公開日：１９９２年１２月２日）
【発明の概要】
【発明が解決しようとする課題】
【０００８】
しかし、上述した従来技術には次のような問題がある。
【０００９】
まず、上述した、煙に反射または散乱した光を受光し、判定レベルと比較することによって煙の有無を検知する煙感知器においては、一般的に次のような課題がある。すなわち、実際の煙感知器においては、照射する光の発光量が経時変化することにより、最新の発光量は初期の発光量と等しくならない。この誤差により煙検知の精度が悪くなる。また、検知室内等への異物または埃の混入により煙濃度が０の際の受光量が変動してしまう。この誤差により煙検知の精度が悪くなる。さらに、煙感知器製造時における種々のバラツキ要因、例えば使用する材料および部品（発光素子および受光素子等）のバラツキによっても、複数の煙感知器間における煙検知の感度がばらついてしまう。
【００１０】
このような誤差を補正する方法には以下のものがある。発光量の経時変化および、異物または埃の混入に対しては、先に示した公知文献に示された方法がある。
【００１１】
また、製造時における複数の煙感知器間のバラツキ要因に対しては、発光素子に供給する電流値すなわち発光素子を駆動するパルス電流のピーク値を調整する方法、外付けボリューム抵抗により受光素子の感度を変更する方法がある。しかしながら、ボリューム抵抗により受光素子の感度を変更する方法においては、コスト増になってしまうという問題がある。また、パルス電流のピーク値を変更して発光量を調整する方法では、パルス電流ノイズが増大するため、煙感知器の誤作動の原因となる。
【００１２】
この誤作動を要因として、煙感知器は火災を検知できなかったり、また火災が発生していなくとも火災を通知したりする。煙感知器を用いた火災報知器においても同様の問題がある。このような誤作動を補正する技術としては以下のものがある。
【００１３】
特許文献１は、長時間にわたり煙有りと検知している場合に、これを煙で無いと判断し、検出信号を予め定めた煙感知レベルに近づける補正をする。しかしながら、この方法においては、単に長時間煙有りと検知している場合に検出信号を補正するだけであり、発光量の経時変化および異物または埃の混入を考慮した精度の高い煙検知はできない。
【００１４】
特許文献２は、煙検知室内の汚れが無くかつ煙が無いときにおけるディジタル信号の出力を記憶し、これを補正に用いることによって、異物または埃の混入を考慮した補正をする。しかしながら、発光量の経時変化に応じた精度の高い補正をすることはできない。また、汚れの無い状態における信号の出力を記憶して補正に用いるため、この出力を記憶するために煙検知室内を厳密な汚れの無い状態にする必要がある。
【００１５】
特許文献３は、煙または埃などの粒子を光学式センサで検出し、その出力電圧に数段階の閾値を設定することによって、風量を段階的に自動調整する。しかしながら、この技術を煙検知に応用して、発光量の経時変化に応じた精度の高い補正をすることはできない。
【００１６】
特許文献４は、検出開度の平均値に基づいて風路圧を調整する。しかしながら、この技術を煙検知に応用して、発光量の経時変化に応じた精度の高い補正をすることはできない。
【００１７】
本発明は上記の問題に鑑みてなされたものであり、その目的は、精度の高い煙検知をする煙感知器および火災報知器を提供することにある。
【課題を解決するための手段】
【００１８】
上記課題を解決するために、本発明に係る煙感知器は、煙を導入する検知室と、上記検知室内に光を照射する発光素子と、上記検知室内における煙に散乱した光を受光し、受光した光に応じた受光信号Ｓを出力する受光素子と、上記受光信号Ｓを補正する補正手段と、上記補正手段が補正した受光信号Ｓに基づいて煙の有無を判定する判定手段と、上記判定手段の判定結果を外部に通知する通知手段とを備えている煙感知器であって、上記補正手段は、煙感知器稼働直後の煙が無い状態における受光信号Ｓｉｎｉ０と、煙感知器稼働中の煙が無い状態における受光信号Ｓ０とを用いて、煙判定の対象である最新の受光信号Ｓｎｏｗを補正することを特徴としている。
【００１９】
上記の構成によれば、本発明の煙感知器の上記補正手段は、煙感知器稼働直後の煙が無い状態における受光信号Ｓｉｎｉ０と、煙感知器稼働中の煙が無い状態における受光信号Ｓ０とを用いて、煙判定の対象である最新の受光信号Ｓｎｏｗを補正する。
【００２０】
上記受光信号Ｓｉｎｉ０と受光信号Ｓ０とが異なる要因としては、例えば、上記発光素子の経時変化または上記検知室内への異物または埃の混入が考えられる。上記補正手段は、上記受光信号Ｓｉｎｉ０と受光信号Ｓ０とを受光信号Ｓｎｏｗの補正に用いることによって、これらの要因により生じた誤差を補正できる。以上のことから、煙感知器は、精度の高い煙検知をできるという効果を奏する。
【００２１】
本発明に係る煙感知器の上記補正手段は、受光信号ＳｎｏｗにＳｉｎｉ０／Ｓ０を乗ずることが好ましい。
【００２２】
上記の構成によれば、上記補正手段はＳｉｎｉ０／Ｓ０を乗ずることによって、受光信号Ｓｎｏｗを補正する。上記発光素子の経時変化による受光信号Ｓｎｏｗの変動はＳｉｎｉ０／Ｓ０を乗ずることによって補正できる。このため、煙感知器は、発光量の経時変化の影響を考慮して、受光信号Ｓｎｏｗを補正できるという更なる効果を奏する。
【００２３】
本発明に係る煙感知器の上記補正手段は、受光信号ＳｎｏｗからＳ０−Ｓｉｎｉ０を減ずることが好ましい。
【００２４】
上記の構成によれば、上記補正手段はＳ０−Ｓｉｎｉ０を減ずることによって、受光信号Ｓｎｏｗを補正する。上記煙検知室への異物または埃の混入による受光信号Ｓｎｏｗの変動はＳ０−Ｓｉｎｉ０を減ずることによって補正できる。このため、煙感知器は、異物または埃の混入の影響を考慮して、受光信号Ｓｎｏｗを補正できるという更なる効果を奏する。
【００２５】
本発明に係る煙感知器の上記補正手段は、Ｓ０≦Ｓｉｎｉ０である場合には受光信号ＳｎｏｗにＳｉｎｉ０／Ｓ０を乗じ、Ｓ０＞Ｓｉｎｉ０である場合には受光信号ＳｎｏｗからＳ０−Ｓｉｎｉ０を減ずることが好ましい。
【００２６】
上記の構成によれば、上記補正手段はＳ０≦Ｓｉｎｉ０である場合には受光信号ＳｎｏｗにＳｉｎｉ０／Ｓ０を乗ずる。一般的に、Ｓ０≦Ｓｉｎｉ０である場合には上記発光素子の経時変化（劣化）により発光量が少なく変動した可能性が極めて高い。上述したように、この場合には、受光信号ＳｎｏｗにＳｉｎｉ０／Ｓ０を乗ずる補正をすることが好ましい。
【００２７】
一方、Ｓ０＞Ｓｉｎｉ０である場合には受光信号ＳｎｏｗからＳ０−Ｓｉｎｉ０を減ずる。一般的に、Ｓ０＞Ｓｉｎｉ０である場合には受光信号Ｓ０が異物または埃の混入による影響を受けた可能性が極めて高い。上述したように、この場合には、受光信号ＳｎｏｗからＳ０−Ｓｉｎｉ０を減ずる補正をすることが好ましい。
【００２８】
以上のように、上記補正手段は、受光信号Ｓ０と受光信号Ｓｉｎｉ０とを比較し、比較結果に応じて受光信号Ｓｎｏｗを補正することにより、より精度の高い煙検知ができるという更なる効果を奏する。
【００２９】
本発明に係る煙感知器は、過去の所定時間内における、煙が無い状態の受光信号Ｓ０を複数抽出し、抽出した受光信号Ｓ０の平均値を算出する平均値算出手段を備えており、上記補正手段は、上記受光信号Ｓ０の値として、上記平均値算出手段が算出した値を用いることが好ましい。
【００３０】
上記の構成によれば、上記平均値算出手段は、複数の煙が無い状態の受光信号Ｓ０の平均値を算出する。上記補正手段は、上記受光信号Ｓ０の値として上記平均値算出手段が算出した値を用いる。これにより、煙感知器稼働中の煙が無い状態における受光信号Ｓ０が得られなくとも、上記補正手段は受光信号Ｓｎｏｗを補正することができる。また、平均値を取るため、ノイズの影響を受けた受光信号Ｓ０の突発的な変動等に大きく影響されることはないという更なる効果を奏する。
【００３１】
本発明に係る煙感知器の上記判定手段は、ユーザの入力に基づいて上記所定時間を設定する所定時間設定手段をさらに備えていることが好ましい。
【００３２】
上記の構成によれば、上記判定手段は、ユーザの入力に基づいて上記所定時間を設定する所定時間設定手段をさらに備えている。このため、平均値を取る対象となる過去の時間をユーザは設定することができる。これにより例えば、平均値を取る対象となる時間を短くすることによって、発光素子の発光量が１年後に約半分になること、または異物混入と同じタイミングにおいて一日周期で検知室内に露が発生することなどといった予想される変動要因の影響を受けないようにすることができるという更なる効果を奏する。
【００３３】
本発明に係る煙感知器の上記発光素子はパルス発光し、上記受光素子は受光した光の積分値に基づいた受光信号を出力し、上記判定手段は、上記発光素子の駆動パルス幅を制御することによって、煙感知器稼働直後の煙が無い状態における受光信号Ｓｉｎｉ０を調整するパルス幅制御手段をさらに備えていることが好ましい。
【００３４】
上記の構成によれば、上記判定手段は、上記発光素子の駆動パルス幅を制御することによって、煙感知器稼働直後の煙が無い状態における受光信号Ｓｉｎｉ０を調整するパルス幅制御手段をさらに備えている。これにより、大量に生産される煙感知器間における上記発光素子の発光量のバラツキを要因とする受光信号Ｓｉｎｉ０の誤差を補正できる。したがって、煙感知器間における判定誤差を低減することができるという更なる効果を奏する。
【００３５】
本発明に係る煙感知器は、上記検知室内が所望の煙濃度である状態の受光信号Ｓを、煙の有無を判定する基準となる受光信号Ｓｔｈとして記憶する記憶手段をさらに備えており、
上記判定手段は、上記記憶手段が記憶した受光信号Ｓｔｈを用いて煙の有無を判定することが好ましい。
【００３６】
上記の構成によれば、上記記憶手段は、上記検知室内が所望の煙濃度である状態の受光信号Ｓを受光信号Ｓｔｈとして記憶する。ユーザはこの所望の煙濃度を、例えば煙の有無を判定する基準値に相当する濃度に任意に設定できる。上記判定手段は、上記記憶手段が記憶した受光信号Ｓｔｈを用いて煙の有無を判定する。以上により、上記判定手段は、煙の有無を判定する基準値として受光信号Ｓｔｈを用いることができるため、より精度の高い煙検知ができるという更なる効果を奏する。
【００３７】
また、上記煙感知器を備えた火災報知器も本発明の範疇に含まれる。
【発明の効果】
【００３８】
以上のように、本発明に係る煙感知器は、煙を導入する検知室と、上記検知室内に光を照射する発光素子と、上記検知室内における煙に散乱した光を受光し、受光した光に応じた受光信号Ｓを出力する受光素子と、上記受光信号Ｓを補正する補正手段と、上記補正手段が補正した受光信号Ｓに基づいて煙の有無を判定する判定手段と、上記判定手段の判定結果を外部に通知する通知手段とを備えている煙感知器であって、上記補正手段は、煙感知器稼働直後の煙が無い状態における受光信号Ｓｉｎｉ０と、煙感知器稼働中の煙が無い状態における受光信号Ｓ０とを用いて、煙判定の対象である最新の受光信号Ｓｎｏｗを補正する。したがって、コスト増をすることなく、煙検知室への異物または埃の混入および発光量の経時変化等の影響を考慮した補正をして、精度の高い煙検知ができる。
【図面の簡単な説明】
【００３９】
【図１】図１は本発明の実施形態を示すものであり、煙感知器の構成を示す図である。
【図２】図２は本発明の実施形態を示すものであり、煙濃度Ｄｓｍと受光信号Ｓとの関係を示すグラフである。
【図３】図３は本発明の実施形態を示すものであり、発光量Ｐの変化による受信信号Ｓの変動を説明するグラフである。
【図４】図４は本発明の実施形態を示すものであり、異物または埃の混入による受信信号Ｓの変動を説明するグラフである。
【図５】図５は本発明の実施形態を示すものであり、補正部による受信信号Ｓの補正の概要を説明する図である。
【図６】図６は本発明の実施形態を示すものであり、煙感知器の発光素子および受光素子の詳細図である。
【図７】図７は本発明の実施形態を示すものであり、電流電圧変換抵抗の抵抗値を調整することによる受信信号Ｓの補正を説明する図である。
【図８】図８は本発明の実施形態を示すものであり、ＬＥＤ駆動電流供給部のピーク電流値を調整することによる受信信号Ｓの補正を説明する図である。
【図９】図９は本発明の実施形態を示すものであり、パルス発光幅ｔｗを調整することによる受光信号Ｓのピーク値の調整を説明する図である。
【発明を実施するための形態】
【００４０】
本発明に係る一実施形態について、図１〜図９を参照して以下に説明する。
【００４１】
（煙感知器１の構成）
まず、本実施形態に係る煙感知器１の構成について、図１を参照して説明する。図１は、煙感知器１の構成図である。この図に示すように、煙感知器１は、煙導入部２、発光素子４、受光素子６、判定部８、および通知部１０を備えている。
【００４２】
煙導入部２はさらに、ラビリンス部１２と、検知室１４とを備えている。ラビリンス部１２は煙を外気より導入する。ラビリンス部１２は、煙を効率的に導入するような、また煙に混入した異物をできる限り導入しないような形状となっている。ラビリンス部１２から導入した煙は検知室１４に導入される。検知室１４は、煙を滞留および通過させる暗室であり、煙濃度が０の場合にできる限り受光素子６に光が入射したり、迷光が発生したりしないような種々の工夫が施されている。
【００４３】
発光素子４はさらに、発光部１６と、ＬＥＤ駆動電流供給部１８とを備えている。発光部１６は、検知室１４に光を照射するものであり、一般的にはＬＥＤ（発光ダイオード）が用いられる。本実施形態においては発光部１６はＬＥＤである。ＬＥＤ駆動電流供給部１８はドライバ回路であり、電流を供給することによって発光部１６すなわちＬＥＤを駆動する。
【００４４】
受光素子６はさらに、受光部２０と、増幅回路ＩＣ部２２とを備えている。受光部２０は、発光部１６から照射され、ラビリンス部１２および検知室１４内において反射および散乱した光を受光し、受光した光を電流に変換する。本実施形態においては、受光部２０はフォトダイオードである。増幅回路ＩＣ部２２は、受光部２０が変換した電流を電圧に変換する電流電圧変換抵抗２４および電流電圧変換アンプ２６と、変換した電圧を増幅して生成した受光信号Ｓを判定部８に出力する増幅アンプ２８とを備えている。以上により、受光素子６は、受光量に応じた受光信号を生成し、判定部８に出力する。
【００４５】
判定部８は、例えばワンチップマイクロコンピュータであり、受光素子６から受信した受光信号を処理演算すなわち信号演算することによって補正する補正部３０を備えており、補正部が補正した受光信号に基づいて煙の有無を判定する。そして、判定結果に基づいて、通知部１０に判定信号を出力する。また、判定部８は、過去の受光信号の平均値を求める平均値算出部３２と、過去の受光信号の平均を求める際に、対象となる受光信号が測定された時間を設定する所定時間設定部３４と、発光素子のパルス幅を制御するパルス幅制御部３６と、受光信号Ｓの値を記憶する記憶部３８とを備えている。各部材の詳細については後述する。また、判定部８は各構成要素を制御する。
【００４６】
通知部１０は、判定部８による判定結果を外部に通知する。例えば、ＬＥＤの発光または音声の出力によって煙の有無を通知する。
【００４７】
（煙感知器１における煙有無判定の概要）
次に、煙感知器１における煙有無判定処理の概要について説明する。
【００４８】
煙感知器１においては、発光素子４から照射され、ラビリンス部１２または検知室１４内において反射および散乱した光を受光した受光素子６が受光量に応じた受光信号Ｓを生成する。そして、判定部８は、補正部３０が信号演算することによって補正した受光信号Ｓに基づいて煙の有無を判定する。
【００４９】
発光素子４から照射される光は指向性を有しており、また光軸と受光素子６の位置とは一致していない。このため、煙濃度が０または少ない場合、すなわちラビリンス部１２または検知室１４内における光の反射および散乱が少ない場合には、受光素子６に入射する光量が少なくなり、受光信号Ｓも小さくなる。これとは反対に、煙濃度が高い場合には、受光信号Ｓは大きくなる。
【００５０】
判定部８は、最新の受光信号Ｓｎｏｗと、予め記憶している基準値である受光信号Ｓｓｔｄとの差分、すなわち受光信号の増加分ｄＳ＝Ｓｎｏｗ−Ｓｓｔｄを計測する。そして、当該差分ｄＳが判定値として予め記憶している判定レベルである受光信号Ｓｔｈよりも大きい場合に煙が有ると判定し、この判定に基づいた判定信号を通知部１０に出力する。なお、煙があると判定する際の煙濃度の基準値をＤｓｍｔｈとすると、煙感知器１は、煙濃度が煙濃度Ｄｓｍｔｈよりも大きい場合に煙が有ると判定する。
【００５１】
（煙感知器１の処理の詳細）
次に、煙感知器における煙判定処理の詳細について図２を参照して説明する。図２は、煙濃度Ｄｓｍと、受光素子６が生成した受光信号Ｓとの関係を示すグラフである。
【００５２】
図２に示すように、煙濃度Ｄｓｍが０の場合においても、ラビリンス部１２または検知室１４内における迷光が受光部２０に入射するため一定の受光信号Ｓが出力される。この煙濃度Ｄｓｍが０の場合における受光信号Ｓは、発光部１６から照射される光の発光量Ｐに比例する。このため、煙濃度Ｄｓｍが０の場合における受光信号Ｓは、発光量Ｐに比例係数Ｂを乗算した数式Ｂ×Ｐと表すことができる。
【００５３】
煙濃度Ｄｓｍが上昇すると、受光信号Ｓも比例して上昇する。このため、煙濃度Ｄｓｍと受光信号Ｓとの関係は、比例係数Ａを用いて、Ａ×Ｐ×Ｄｓｍと表すことができる。以上のことから、発光量Ｐにおける受光信号Ｓは次式によって表される。
【００５４】
【数１】
2011086058.tif 000003
【００５５】
数式１におけるＡ×Ｐ×Ｄｓｍすなわち煙流入に起因する受光信号をＳｓｍ、また、煙濃度Ｄｓｍが０の場合における受光信号Ｂ×ＰをＳ０とすると、数式１は次式によって表される。
【００５６】
【数２】
2011086058.tif 000004
【００５７】
また、一般的に、煙の有無を判定するために最新の受光信号Ｓｎｏｗが用いられる。また、基準値Ｓｓｔｄとして煙感知器の稼働直後（生産段階における初期調整完了直後）の煙が無い状態における受光信号Ｓｉｎｉ０が用いられる。これを上述した式ｄＳ＝Ｓｎｏｗ−Ｓｓｔｄに適用すると、煙が有ると判定される条件は、判定レベルである受光信号Ｓｔｈを用いた次式によって表される。
【００５８】
【数３】
2011086058.tif 000005
【００５９】
ここで、Ｓｎｏｗを数式１を用いて示すと次式が成り立つ。
【００６０】
【数４】
2011086058.tif 000006
【００６１】
また、Ｓｉｎｉを数式１を用いて示すと次式が成り立つ。
【００６２】
【数５】
2011086058.tif 000007
【００６３】
なお、ｎｏｗは最新の状態、ｉｎｉは煙感知器の稼働直後の状態を示す添字である。
【００６４】
これらを数式３に適用すると次式が成り立つ。
【００６５】
【数６】
2011086058.tif 000008
【００６６】
また、比例係数ＡおよびＢ並びに発光量Ｐに変化が無いと仮定すると次式が成り立つ。
【００６７】
【数７】
2011086058.tif 000009
【００６８】
この数式７を数式６に適用すると数式８および数式９が同時に成り立つ。
【００６９】
【数８】
2011086058.tif 000010
【００７０】
【数９】
2011086058.tif 000011
【００７１】
この数式８および数式９を用いて、煙の流入に起因する光の反射および散乱に基づいた最新の受光信号Ｓｓｍｎｏｗを判定レベルＳｔｈと比較することによって、煙感知器１は煙の有無を判定する。また、数式８および数式９は同時に成立することから、煙感知器１の稼働直後から現在までの煙濃度Ｄｓｍｎｏｗに対して一定の受光信号すなわちＳｓｍｎｏｗ＝Ｓｓｍｉｎｉが得られる。
【００７２】
また、このような煙感知器１においては、判定レベルＳｔｈを一定に保つこと、および数式６を保つことが重要である。これらを維持できれば煙濃度判定の精度を保つことができる。
【００７３】
まず、数式８におけるＳｔｈを一定に精度よく生産するためには、比例係数Ａの初期値Ａｉｎｉおよび発光量Ｐの初期値Ｐｉｎｉを調整することにより実現することができる。しかしながら、上述したように、電流のピーク値を調整することによる発光量Ｐｉｎｉの調整は誤作動の原因となるし、ボリューム抵抗により受光素子の感度を変更するＡｉｎｉおよびＢｉｎｉの調整はコスト増になる。次に、数式７が保てないことによる誤作動について説明する。
【００７４】
例えば、発光量Ｐの経時変化における係数をＣとして、比例係数Ａおよび比例係数Ｂには変動が無いとする。この場合には、Ｐｎｏｗ＝Ｃ×Ｐｉｎｉ、Ａｉｎｉ＝Ａｎｏｗ、およびＢｉｎｉ＝Ｂｎｏｗが成り立つ。これを数式６に適用すると次式が成り立つ。
【００７５】
【数１０】
2011086058.tif 000012
【００７６】
数式１０を数式８および数式９と比較すると、第１項に乗じた係数Ｃが誤差となる。
【００７７】
一方、発光量Ｐおよび比例係数Ａに変動が無く、比例係数Ｂの変動における係数をＤとすると、Ｐｎｏｗ＝Ｐｉｎｉ、Ａｉｎｉ＝Ａｎｏｗ、およびＢｎｏｗ＝Ｄ×Ｂｉｎｉが成り立つ。これを数式６に適用すると次式が成り立つ。
【００７８】
【数１１】
2011086058.tif 000013
【００７９】
数式１１を数式８および数式９と比較すると、（Ｄ−１）×Ｂｉｎｉ×Ｐｉｎｉが誤差となる。数式１０および数式１１において生じた誤差により、煙感知器１は、当初に設定した、検知したい煙濃度に達しても煙が有ることを検知できなかったり、一方、検知したい煙濃度に達する前に煙有りと検知したりしてしまう。
【００８０】
次に、数式１０および数式１１における受光信号Ｓの誤差の例を図３および図４を参照して説明する。
【００８１】
図３は、数式１０における誤差すなわち発光量Ｐの経時変化による誤差を説明するグラフである。発光量Ｐが、上述したようにＣ×Ｐに変動すると、一般的にＣ＜１であるため、図３の点線グラフに示すように、実線に示した数式１のグラフよりも煙濃度Ｄｓｍが０の場合における受光信号Ｓが小さくなり、かつ数式１におけるグラフよりもグラフの傾きがなだらかになる。
【００８２】
この図３の点線のグラフに対応して示した数式に、初期値ｉｎｉおよび最新ｎｏｗを示す添字を適用すると数式１０の右辺第１項となる。この結果、受光信号Ｓｎｏｗが判定レベルＳｔｈに到達する時の煙濃度はＤｓｍｔｈからＤｓｍｔｈ２に変動してしまう。したがって、本来火災を検知するべき煙濃度Ｄｓｍｔｈが生じても、判定レベルＳｔｈに受光信号が達しないため、火災を検知することができない。なお、Ｃ＜１としたのは、発光量の経時変化は、一般的に発光素子の劣化が主たる要因であるため、発光量が減るように通常は変化するからである。
【００８３】
次に、数式１１における受光信号Ｓの誤差の例を図４に示す。図４は、数式１１における誤差すなわち異物または埃の混入による比例係数Ｂの変動による誤差を説明するグラフである。比例係数Ｂが、上述したようにＤ×Ｂに変動すると、一般的にＤ＞１であるため、図４の点線のグラフに示すように、実線に示した数式１におけるグラフよりも、煙濃度Ｄｓｍが０の場合における受光信号Ｓが大きくなる。
【００８４】
この図４の点線のグラフに対応して示した数式に、初期値ｉｎｉおよび最新ｎｏｗを示す添字を適用すると数式１１の右辺第１項となる。この結果、受光信号Ｓｎｏｗが判定レベルＳｔｈに到達する時の煙濃度はＤｓｍｔｈからＤｓｍｔｈ３に変動してしまう。したがって、本来火災を検知するべきでない煙濃度Ｄｓｍｔｈに達する前に、判定レベルＳｔｈに受光信号が達するため誤作動して火災を検知してしまう。なお、Ｄ＞１としたのは、検知室１４内の初期状態においては、迷光による受光信号Ｂ×Ｐが極力低く抑えられる構造になっており、異物または埃によりＢ×Ｐが変動する場合には、低く抑えられていた受光信号が大きくなるように通常は変動するからである。
【００８５】
以上説明したように、数式１０および数式１１における受光信号Ｓの誤差によって、煙感知器１による煙検知の精度が悪くなる。ここで数式１０および数式１１を参照すると、数式１０および数式１１の右辺第１項は最新の受光信号Ｓｎｏｗであり、また第二項は煙感知器１の稼働直後における煙無し状態の受光信号Ｓｉｎｉである。このため、数式１０の第１項の係数Ｃおよび数式１１の第１項の係数Ｄに起因する変動が、数式８および数式９との差異になることがわかる。したがって、係数ＣおよびＤを検出し、数式１０および数式１１における右辺第１項すなわち最新の受光信号Ｓｎｏｗを補正することによって、数式８および数式９に変換することができる。係数ＣおよびＤは、図３および図４に従えば、煙濃度Ｄｓｍが０における受光信号Ｓの変動を確認することによって検出できる。
【００８６】
すなわち、煙感知器１の稼動直後のＤｓｍが０における受光信号ＳｉｎｉすなわちＢｉｎｉ×Ｐｉｎｉと、現在稼動時のＤｓｍが０における受光信号Ｓ０すなわちＢｎｏｗ×Ｐｎｏｗを比較することによって係数ＣおよびＤを検出できる。そして、検出した係数ＣおよびＤに基づいて、最新の受光信号Ｓｎｏｗすなわち数式１０および数式１１の右辺第１項を補正することによって、数式８および数式９を得ることができる。
【００８７】
数式１０および図３において、発光量Ｐは、Ｃ×Ｐであるから次式が成り立つ。
【００８８】
【数１２】
2011086058.tif 000014
【００８９】
数式１２から次式が成り立つ。
【００９０】
【数１３】
2011086058.tif 000015
【００９１】
数式１３において、Ｓｉｎｉ０とＳ０とから係数Ｃを得ることができる。そして、数式１０の右辺第１項に１／Ｃ＝Ｓｉｎｉ０／Ｓ０を乗ずると次式が成り立つ。
【００９２】
【数１４】
2011086058.tif 000016
【００９３】
以上のように、数式１４から数式９を得ることができる。すなわち、数式１０の右辺第１項ＳｎｏｗにＳｉｎｉ０／Ｓ０を乗じることによって、図３で生じた発光量Ｐの変化によるＤｓｍｔｈからＤｓｍｔｈ２への変動を補正することができる。つまり、図３における実線のグラフに戻すことができる。
【００９４】
また、数式１１および図４において、比例係数ＢはＢ×Ｄであるから次式が成り立つ。
【００９５】
【数１５】
2011086058.tif 000017
【００９６】
ここでＰｎｏｗ＝Ｐｉｎｉとすると数式１５から次式が成り立つ。
【００９７】
【数１６】
2011086058.tif 000018
【００９８】
数式１６より、Ｓｉｎｉ０とＳ０とからＤを得ることができる。
【００９９】
また、次式が成り立つ。
【０１００】
【数１７】
2011086058.tif 000019
【０１０１】
数式１７を、数式１１の右辺第１項より減ずると次式が成り立つ。
【０１０２】
【数１８】
2011086058.tif 000020
【０１０３】
以上のように、数式１８から数式９を得ることができる。
【０１０４】
以上のことから、数式１１の右辺第１項ＳｎｏｗからＳ０−Ｓｉｎｉ０を減ずることにより、図４で生じた比例係数Ｂの変動によるＤｓｍｔｈからＤｓｍｔｈ３への変動を補正することができる。すなわち図４における実線のグラフに戻すことができる。
【０１０５】
次に、Ｄｓｍｔｈの変動要因を想定した補正について図５を参照して説明する。図５は、煙濃度Ｄｓｍが０の場合に、煙感知器１の補正部３０がＳ０≦Ｓｉｎｉ０と認識した場合、またＳ０＞Ｓｉｎｉ０と認識した場合各々における補正を説明する図である。
【０１０６】
上述したように、発光量Ｐの変化Ｃについては、一般的にＣ＜１が成り立つ。Ｃ＜１が成り立つ場合には、数式１３からＳ０≦Ｓｉｎｉ０が成り立つ。Ｓ０≦Ｓｉｎｉ０が成り立つということは、煙感知器の稼働中の煙が無い状態における受光信号Ｓ０が煙感知器の稼働直後の煙が無い状態における受光信号Ｓｉｎｉ０よりも小さいということである。以上のことに基づくと、Ｓ０≦Ｓｉｎｉ０である場合には、発光量Ｐが少ないほうに変化した可能性が極めて高いといえる。以上のことから、補正部３０がＳ０≦Ｓｉｎｉ０であると認識した場合には、数式１４において説明したようなＳｎｏｗにＳｉｎｉ０／Ｓ０を乗ずる補正をすることが好ましい。
【０１０７】
また、上述したように、異物または埃の混入による係数Ｄの変動については、一般的にＤ＞１が成り立つ。Ｄ＞１が成り立つ場合には、数式１６からＳ０＞Ｓｉｎｉ０が成り立つ。Ｓ０＞Ｓｉｎｉ０が成り立つということは、煙感知器１の稼働中の煙が無い状態における受光信号Ｓ０が煙感知器１の稼働直後の煙が無い状態における受光信号Ｓｉｎｉ０よりも大きいということである。以上のことから、Ｓ０＞Ｓｉｎｉ０である場合には、異物または埃の混入により係数Ｄが変動した可能性が極めて高いといえる。以上のことから、補正部３０がＳ０＞Ｓｉｎｉ０と認識した場合には、数式１８において説明したように、ＳｎｏｗからＳ０−Ｓｉｎｉ０を減ずる補正をすることが好ましい。
【０１０８】
以上説明したように、補正部３０は、Ｓ０とＳｉｎｉ０とを比較し、比較結果に応じて受光信号Ｓｎｏｗを精度良く補正することができる。これにより、Ｄｓｍｔｈの変動を補正することができる。
【０１０９】
また、補正部３０は、稼働時の煙濃度が０における受光信号Ｓ０を得られなくとも、受光信号Ｓｎｏｗを補正することによって、Ｄｓｍｔｈの変動を補正することができる。すなわち、この場合には、判定部８が備える平均値算出部３２が、過去の火災が発生していない状態である煙濃度が０の際の受光信号Ｓの平均値を算出する。補正部３０は、現在の受光信号Ｓ０を得ることが困難である場合に、平均値算出部３２が算出したこの値を受光信号Ｓ０として用いることができる。これにより、補正部３０は上述した補正をすることができる。また、平均値を取るため、突発的なノイズの影響を受けた受光信号の変動等に大きく影響されることはない。
【０１１０】
また、平均値を取る対象となる過去の時間をユーザは設定することができる。具体的には、ユーザは所定時間設定部３４に入力することにより時間を設定する。これにより、例えば平均値を取る対象となる時間を短くすることによって、それ以前の時間に高い発生確率において起こると予想される変動要因の影響を受けないようにすることができる。このような変動要因としては、例えば、発光素子の発光量が１年後に約半分になること、または異物混入と同じタイミングにおいて一日周期で検知室内に露が発生することなどが考えられる。すなわち、平均値を取る対象となる時間を任意に設定することによって、予測される変動要因に対応した補正をすることができる。
【０１１１】
また、上述した例においては、最新の受光信号Ｓｎｏｗを補正した。しかしながら、判定レベルである受光信号Ｓｔｈまたは初期の受光信号Ｓｉｎｉそのものを補正することにより、結果として数式８および数式９を得るようにしてもよい。
【０１１２】
また、上述した例においては、煙有無の判定に最新の受光信号Ｓｎｏｗを、また基準値Ｓｓｔｄとして受光信号Ｓｉｎｉ０を一定値として用いた。しかしながら、本発明はこれに限定されない。すなわち、Ｓ０およびＳｉｎｉ０を補正演算することによって、数式１０および数式１１などにおける上述した誤差を補正してＳｎｏｗに適用できれば良い。これにより、例えば、Ｓｎｏｗを温度を考慮して補正した値を用いることも可能である。また、ＳｓｔｄをＳｎｏｗと無関係の一定値にすることも可能である。
【０１１３】
また、大量生産される煙感知器１において、煙感知器１各々間における受光信号が煙有無の判定レベルＳｔｈに達する煙濃度Ｄｓｍｔｈを一定にすることが好ましい。すなわち、一定の煙濃度において煙有りを判定することが望ましい。煙感知器１間におけるＤｓｍｔｈのバラツキの要因としては、各機器間の発光部１６における発光量Ｐのバラツキ、受光素子６において光を受光信号に変換する際における変換効率のバラツキ、およびラビリンス部１２内における迷光分布のバラツキ等が考えられる。
【０１１４】
この種々のバラツキを要因とするＤｓｍｔｈのバラツキを補正する方法を図６〜図９を参照して説明する。図６は、煙感知器１の発光素子４および受光素子６の詳細を示す図である。
【０１１５】
この図に示す発光素子４は、発光ダイオードである発光部１６と、ドライバ回路であるＬＥＤ駆動電流供給部１８とを備えている。また、この図に示すように、受光素子６は、フォトダイオードである受光部２０と増幅回路ＩＣ部２２とを備えている。増幅回路ＩＣ部２２はさらに、受光部２０から供給される電流を電圧に変換する、電流電圧変換抵抗２４および電流電圧変換アンプ２６、電圧を増幅して生成した受光信号Ｓを判定部８に出力する増幅アンプ２８とを備えている。
【０１１６】
図７は、図６に示した煙感知器１において、受光信号が煙有無の判定レベルＳｔｈに達する煙濃度Ｄｓｍｔｈを一定に保つために、電流電圧変換抵抗２４の抵抗値の調整を説明する図である。図７（ａ）は、図６に示した電流電圧変換抵抗２４の抵抗値を調整する前の図であり、図７（ｂ）は、電流電圧変換抵抗２４の抵抗値を調整した後の図である。
【０１１７】
図７（ａ）に示した電流電圧変換抵抗２４の抵抗値を調整する前においては、発光量Ｐに対応した受光信号Ｓは、矢印Ｓに示した値しか得られない。しかしながら、電流電圧変換抵抗２４の抵抗値を調整し、光から受光信号Ｓを生成する変換効率を向上させることによって、図７（ｂ）に示すように、発光量Ｐを変化させなくとも矢印Ｓ’に示す値に受光信号Ｓの値を大きくすることができる。これにより、受光信号Ｓを判定レベルＳｔｈに補正することができる。受光信号Ｓを判定レベルＳｔｈに補正することにより煙濃度Ｄｓｍｔｈを一定に保つことができる。
【０１１８】
また、図８は、ＬＥＤ駆動電流供給部１８のピーク電流値を調整することによる発光量Ｐの調整を説明する図である。図８（ａ）は、図６に示したＬＥＤ駆動電流供給部１８のピーク電流値を調整する前の図であり、図８（ｂ）は、ＬＥＤ駆動電流供給部１８のピーク電流値を調整した後の図である。
【０１１９】
図８（ａ）におけるＬＥＤ駆動電流供給部１８のピーク電流値を調整する前においては、発光量Ｐに対応した受光信号Ｓは、矢印Ｓに示した値しか得られない。しかしながら、ＬＥＤ駆動電流供給部１８のピーク電流値を調整し、図８（ｂ）に示すように実質的に発光量をＰ’に大きくすることによって、図８（ｂ）の矢印Ｓ’に示す値に受光信号Ｓの値を大きくすることができる。これにより、受光信号Ｓを判定レベルＳｔｈに補正することができ、煙濃度Ｄｓｍｔｈを一定に保つことができる。
【０１２０】
以上の補正を数式１に適用して煙濃度Ｄｓｍｔｈを一定に保つ方法も可能ではある。しかしながら、これらの方法は、電流電圧変換抵抗２４の抵抗をボリューム抵抗にするためのコスト増、またはＬＥＤ駆動電流供給部１８のピーク電流値を大きくすることによるノイズ増大といったデメリットがある。
【０１２１】
そこで、次に、図９を参照して、電流電圧変換抵抗２４の抵抗値の調整およびＬＥＤ駆動電流供給部１８のピーク電流値の調整を用いずに、煙濃度Ｄｓｍｔｈを一定に保つ方法を説明する。図９（ａ）は、パルス発光幅ｔｗを調整する前の図であり、図９（ｂ）はパルス発光幅ｔｗを調整した後の図である。
【０１２２】
図９（ａ）に示したパルス発光幅ｔｗを調整する前においては、発光量Ｐに対応した受光信号Ｓは、矢印Ｓに示した値しか得られない。しかしながら、図９（ｂ）に示すように    
判定部８が備えるパルス幅制御部３６が、パルス発光幅ｔｗをパルス発光幅ｔｗ’に大きくすることによって、図９（ｂ）に示すように、発光量Ｐを変化させなくとも矢印Ｓ’に示す値に受光信号Ｓの値を大きくすることができる。これにより、受光信号Ｓを判定レベルＳｔｈに補正することができる。受光信号Ｓを判定レベルＳｔｈに補正することにより煙濃度Ｄｓｍｔｈを一定に保つことができる。
【０１２３】
図７および図８における例においては、受光量に比例した受光信号Ｓが用いられた。しかしながら、図９における受光素子が出力する受光信号Ｓは、受光量を積分した値である。このため、上述したようにパルス発光幅ｔｗに比例したピーク値が得られる。比例係数Ｅを用いて、上述したことを数式１に適用すると次式が得られる。
【０１２４】
【数１９】
2011086058.tif 000021
【０１２５】
数式１９において、パルス発光幅ｔｗを調整することにより受光信号Ｓのピーク値を調整し、これにより煙濃度Ｄｓｍｔｈを補正することができる。また、図９の例においては、煙濃度Ｄｓｍを基準値Ｄｓｍｔｈとして、受光信号Ｓが判定レベルＳｔｈに一致するよう調整したが、煙濃度Ｄｓｍを０として数式１９に適用した場合には次式が得られる。
【０１２６】
【数２０】
2011086058.tif 000022
【０１２７】
数式２０から、煙濃度Ｄｓｍが０の場合における受光信号Ｓの理想値が既知であれば、パルス幅制御部３６がパルス発光幅ｔｗを調整することによって受光信号Ｓを補正することができる。すなわち、煙濃度Ｄｓｍまたは判定レベルＳｔｈとは独立して受光信号Ｓを調整することができる。また、上述した例においては、受光信号Ｓとして受光量の積分値を出力している。しかしながら、受光素子に特に積分回路を組まなくても、受光素子の応答周波数が駆動電流パルス幅に比して十分に大きい場合には所望の効果を得ることができる。すなわち、高速であるアンプ技術を用いる必要がない。
【０１２８】
また、判定レベルＳｔｈとは独立して受光信号Ｓを調整する一方で、判定レベルＳｔｈのバラツキは別途調整することが好ましい。この場合には、検知室１４内に所望の散乱状態、例えば、図２の基準値Ｄｓｍｔｈに相当する散乱状態を生成する。このようにして、基準値Ｄｓｍｔｈに相当する状態を生成した上で、この時の受光信号を判定レベルＳｔｈとして判定部８が備える記憶部３８に記憶させる。これにより、実際の煙の散乱状態から求めた正確な基準値すなわち基準値Ｄｓｍｔｈに基づいて受光信号Ｓを判定することができる。なお、錯乱状態の生成は実際に煙を流入させても良いし、検知室１４内に所定の散乱板を挿入するなどしても良い。また、独立して受光信号Ｓが調整される場合には、上述した他の方法においてもより精度を高めることができる。
【０１２９】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１３０】
本発明は、例えば、以下のように表現することもできる。
【０１３１】
１．周囲に開口した煙導入口からラビリンスを介して侵入煙を検知室内に導入するラビリンス体と、検知室内に光を射出する発光素子と、発光素子から射出され検知室内で散乱及び反射した光を受光し受光量に応じた受光信号Ｓを出力する受光素子と、受光信号Sを処理演算し、煙の有無を判定する判定手段と、判定手段の判定結果を煙感知器外部に通知する通知手段を有し、該判定手段は、受光信号Ｓとあらかじめ設定された基準値Ｓｓｔｄの差分ｄＳ＝Ｓ−Ｓｓｔｄが、あらかじめ設定された判定レベルＳｔｈを超えた場合に煙有りを判定する煙感知器において、判定手段は、煙感知器稼動直後（生産段階での初期調整完了後）の煙濃度Ｄｓｍ＝０での受光信号Ｓｉｎｉ０を記憶し、Ｓｉｎｉ０と、稼働時の煙無し状態での受光信号Ｓ０が異なる場合には、最新の受光信号ＳｎｏｗにＳｉｎｉ０とＳ０からなる補正を行って煙有無判定を行う。
【０１３２】
２．１において、補正は、最新の受光信号Ｓｎｏｗに（Ｓｉｎｉ０／Ｓ０）を乗ずる。
【０１３３】
３．１において、補正は、最新の受光信号Ｓｎｏｗより（Ｓ０−Ｓｉｎｉ０）を減ずる。
【０１３４】
４．１において、Ｓ０≦Ｓｉｎｉ０であれば、２の補正を、Ｓ０＞Ｓｉｎｉ０であれば、３の補正を用いる。
【０１３５】
５．１〜４においてＳ０は過去の煙無し時受光信号の平均値Ｓｐａｓｔ０である。
【０１３６】
６．５において、過去の判定信号の平均値Ｓｐａｓｔ０を算出する時間を外部より自由に設定できる。
【０１３７】
７．周囲に開口した煙導入口からラビリンスを介して侵入煙を検知室内に導入するラビリンス体と、検知室内に光を射出する発光素子と、発光素子から射出され検知室内で散乱及び反射した光を受光し受光量に応じた受光信号Sを出力する受光素子と、受光信号Ｓを処理演算し、煙の有無を判定する判定手段と、判定手段の判定結果を煙感知器外部に通知する通知手段を有し、該判定手段は、受光信号Ｓとあらかじめ設定された基準値Ｓｓｔｄの差分ｄＳ＝Ｓ−Ｓｓｔｄが、あらかじめ設定された判定レベルＳｔｈを超えた場合に煙有りを判定する煙感知器において、発光素子はパルスで発光され、受光素子は入射光の積分値を出力し、煙感知器稼動開始時（生産段階での初期調整完了後）において、煙濃度Ｄｓｍ＝０での受光信号Ｓｉｎｉ０が一定となるように発光素子の駆動パルス幅を調整する。
【０１３８】
８．周囲に開口した煙導入口からラビリンスを介して侵入煙を検知室内に導入するラビリンス体と、検知室内に光を射出する発光素子と、発光素子から射出され検知室内で散乱及び反射した光を受光し受光量に応じた受光信号Ｓを出力する受光素子と、受光信号Ｓを処理演算し、煙の有無を判定する判定手段と、判定手段の判定結果を煙感知器外部に通知する通知手段を有し、該判定手段は、受光信号Ｓとあらかじめ設定された基準値Ｓｓｔｄの差分ｄＳ＝Ｓ−Ｓｓｔｄが、あらかじめ設定された判定レベルＳｔｈを超えた場合に煙有りを判定する煙感知器において、検知室内が所望の煙濃度に相当する光散乱状態である環境のもとで得られる受光信号をもとに、判定レベルＳｔｈを生成し、判定手段に記憶させる。
【０１３９】
９．１〜８の煙感知器を搭載する火災報知器。
【産業上の利用可能性】
【０１４０】
本発明の煙感知器は、煙を検知することによって火災を感知する煙感知器一般において好適に利用できる。
【符号の説明】
【０１４１】
１      煙感知器
２      煙導入部
４      発光素子
６      受光素子
８      判定部（判定手段）
１０    通知部（通知手段）
１２    ラビリンス部
１４    検知室
１６    発光部
１８    ＬＥＤ駆動電流供給部
２０    受光部
２２    増幅回路ＩＣ部
２４    電流電圧変換抵抗
２６    電流電圧変換アンプ
２８    増幅アンプ
３０    補正部（補正手段）
３２    平均値算出部（平均値算出手段）
３４    所定時間設定部（所定時間設定手段）
３６    パルス幅制御部（パルス幅制御手段）
３８    記憶部（記憶手段）
【図１】
2011086058.tif 000023
【図２】
2011086058.tif 000024
【図３】
2011086058.tif 000025
【図４】
2011086058.tif 000026
【図５】
2011086058.tif 000027
【図６】
2011086058.tif 000028
【図７】
2011086058.tif 000029
【図８】
2011086058.tif 000030
【図９】
2011086058.tif 000031